(57)【要約】【課題】平坦なレイアアウトにしても、設置箇所が限定されることなく、また、操作者による冊子の供給、取出し作業を容易化できるようにする。【解決手段】印刷部によって印刷された冊子を受け取りメイン搬送路５から該メイン搬送路５に対し交差する移動路１２に沿って往復移動するキャリッジ１１と、このキャリッジ１１の移動路１２に設けられ、キャリッジ１１の移動によって搬送されてくる冊子の印刷状態を検査する検査部１５と、キャリッジ１１の移動路１２にメイン搬送路５と検査部１５との間に位置して設けられ、キャリッジ１１の移動によって搬送されてくる検査後の冊子を折り畳む方向に押し上げる折畳部１４とを具備し、折畳部１４によって押し上げられた冊子をキャリッジ１１の移動によりメイン搬送路５に戻して冊子を逆送することにより折り畳んだのち、該冊子を順方向に搬送して集積部９に集積させる。【選択図】図３
2012056188.tif 000002
【特許請求の範囲】
【請求項１】
装置本体内に設けられ、冊子を供給する冊子供給部と、
この冊子供給部から供給された冊子を開かれた状態でメイン搬送路に沿って搬送する搬送手段と、
この搬送手段によって前記メイン搬送路から搬出される冊子を集積する集積部と、
前記メイン搬送路の中途部に設けられ、前記搬送手段によって搬送される前記冊子に印刷する印刷手段と、
この印刷手段によって印刷された前記冊子を受け取り前記メイン搬送路から該メイン搬送路に対し交差する移動路に沿って往復移動するキャリッジと、
このキャリッジの移動路に設けられ、前記キャリッジの移動によって搬送されてくる前記冊子の印刷状態を検査する検査手段と、
前記キャリッジの移動路に前記メイン搬送路と前記検査手段との間に位置して設けられ、前記キャリッジの移動によって搬送されてくる検査後の冊子を折り畳む方向に押し上げる折畳手段とを具備し、
前記折畳手段によって押し上げられた前記冊子を前記キャリッジの移動により前記メイン搬送路に戻して前記冊子を逆送することにより折り畳んだのち、該冊子を順方向に搬送して前記集積部に集積させることを特徴とする冊子処理装置。
【請求項２】
前記検査手段は、撮影カメラを備えることを特徴とする請求項１記載の冊子処理装置。
【請求項３】
前記搬送手段は、前記冊子を前記メイン搬送路に沿って挟持搬送する駆動ローラとピンチローラを備えることを特徴とする請求項１または２記載の冊子処理装置。
【請求項４】
前記キャリッジが前記メイン搬送路から前記移動路に沿って移動する際には、前記駆動ローラは前記メイン搬送路から退避されることを特徴とする請求項３記載の冊子処理装置。
【請求項５】
前記キャリッジを移動路に沿って往復移動させる駆動ベルトを備えることを特徴とする請求項1乃至４の何れか一項に記載の冊子処理装置。
【請求項６】
前記キャリッジをガイドシャフトに沿って移動されることを特徴とする請求項５記載の冊子処理装置。
【発明の詳細な説明】
【技術分野】
【０００１】
本発明の実施形態は、例えば、銀行通帳等の冊子を作成する冊子処理装置に関する。
【背景技術】
【０００２】
この種の冊子処理装置には、その装置本体内の上部側に冊子供給部を備え、この冊子供給部から供給される冊子を開いた状態で水平に搬送したのち、下方に向かって搬送して印刷部で印刷処理を施し、その印刷状態を検査部で検査してから折畳部で折り畳んで下部側の排出口から搬出するものが知られている。
【０００３】
しかしながら、この冊子処理装置はその上下方向の寸法が大きく、カウンタ上などに設置した場合には、冊子供給部の位置が高くなり過ぎてしまう。このため、冊子供給部への冊子の補充作業がし難くなるという問題があった。
【０００４】
そこで、冊子供給部、印刷部、検査部、折畳部などを一方向に沿って配置することにより平坦なレイアウトにし、これにより、カウンタ上などに設置した場合でも冊子供給部の位置が高くなり過ぎることのないようにしたものが開発されている。
【先行技術文献】
【特許文献】
【０００５】
【特許文献１】特開昭６１−１９７３２９号公報
【発明の概要】
【発明が解決しようとする課題】
【０００６】
しかしながら、冊子供給部、印刷部、検査部、折畳部を平坦に配置した場合には、水平方向に沿う冊子搬送路の全長が長くなり、設置箇所が限定されてしまうという問題があった
また、冊子供給部と集積部との間の距離が長くなるため、冊子供給部へ冊子を補充したり、集積部から冊子を取出し際には、操作者の移動距離が長くなり、作業性が低下してしまう。
【課題を解決するための手段】
【０００７】
上記課題を解決するために、実施の形態は、装置本体内に設けられ、冊子を供給する冊子供給部と、この冊子供給部から供給された冊子を開かれた状態でメイン搬送路に沿って搬送する搬送手段と、この搬送手段によって前記メイン搬送路から搬出される冊子を集積する集積部と、前記メイン搬送路の中途部に設けられ、前記搬送手段によって搬送される前記冊子に印刷する印刷手段と、この印刷手段によって印刷された前記冊子を受け取り前記メイン搬送路から該メイン搬送路に対し交差する移動路に沿って往復移動するキャリッジと、このキャリッジの移動路に設けられ、前記キャリッジの移動によって搬送されてくる前記冊子の印刷状態を検査する検査手段と、前記キャリッジの移動路に前記メイン搬送路と前記検査手段との間に位置して設けられ、前記キャリッジの移動によって搬送されてくる検査後の冊子を折り畳む方向に押し上げる折畳手段とを具備し、前記折畳手段によって押し上げられた前記冊子を前記キャリッジの移動により前記メイン搬送路に戻して前記冊子を逆送することにより折り畳んだのち、該冊子を順方向に搬送して前記集積部に集積させる。
【図面の簡単な説明】
【０００８】
【図１】一実施の形態である冊子処理装置を示す概略的構成図。
【図２】図１のキャリッジ、折畳部、及び検査部の配置構成を示す斜視図。
【図３】図２の配置構成を示す平面図。
【図４】図２のキャリッジの駆動機構を示す構成図。
【図５】図２のキャリッジに冊子が送り込まれた状態を示す斜視図。
【図６】図５の駆動ローラが下方に退避された状態を示す斜視図。
【図７】図６のキャリッジが検査部に移動された状態を示す斜視図。
【図８】図７のキャリッジが検査部から折畳部に移動されてその冊子の印刷面側が押し上げられた状態を示す斜視図。
【図９】図８のキャリッジがメイン搬送路に戻された状態を示す斜視図。
【図１０】図９の冊子がメイン搬送路で逆送されて折り畳まれる状態を示す斜視図。
【図１１】図１０の冊子が集積部に向かって順方向に搬送される状態を示す斜視図。
【図１２】図５の状態を示す平面図。
【図１３】図７の状態を示す平面図。
【図１４】図８の状態を示す平面図。
【図１５】図１１の状態を示す平面図。
【図１６】図１の冊子処理装置の処理動作を示すフローチャート図。
【図１７】図１の冊子処理装置の処理動作を示すフローチャート図。
【図１８】図１の冊子処理装置の処理動作を示すフローチャート図。
【発明を実施するための形態】
【０００９】
以下、実施形態について、図面を参照して説明する。
【００１０】
図１は、実施形態である冊子処理装置を示す概略的構成図である。
【００１１】
冊子処理装置は装置本体１を有し、この装置本体１内の一側上部側には冊子供給部２が設けられている。この冊子供給部２内には閉じられた状態で冊子３が複数冊積層状態で収納されている。冊子供給部２内の冊子３は、その下部側から一冊ずつ取出ローラ４により取り出されてメイン搬送路５に沿って搬送されるようになっている。
【００１２】
メイン搬送路５中には、冊子搬送方向に沿って順次、冊子３の特定の頁を捲る頁捲り部７、冊子３の固有情報を読み取るＯＣＲ部６、印刷手段としての印刷部８が配設され、メイン搬送路５の搬出端側には、搬出される冊子３を集積する集積部９が設けられている。印刷部８は、外部端末（図示しない）から制御処理部に入力される印字情報に基づいて動作されるようになっている。
【００１３】
また、メイン搬送路５中には、上記した印刷部８と集積部９との間に位置して図２示すようにキャリッジ１１が設けられている。キャリッジ１１は印刷部８から搬送されてくる開かれた状態の冊子３を受け入れたのち、メイン搬送路５に対し直交する移動路１２に沿って移動されるようになっている。
【００１４】
キャリッジ１１は、メイン搬送路５上に位置するときには、冊子３を搬送するためのガイドの役割も担い、冊子折畳み後は冊子３を通過させて集積部９へ搬送する構造となっている。
【００１５】
キャリッジ１１上にはガイド板１１ａが所定間隔を存して一体的に設けられ、このガイド板１１ａには冊子３に押圧を加えるピンチローラ２５が配置されている。キャリッジ１１の下方には、メイン搬送路５から下方に退避可能な駆動ローラ２６が配置されている。駆動ローラ２６はキャリッジ１１が奥行き方向へ移動するときに下方に待避し、この退避により、ピンチローラ２５とキャリッジ１１の底面とにより冊子３を挟み込んで保持するようになっている。
【００１６】
なお、キャリッジ１１は、冊子３の印刷面（表紙）の反対側をのみを保持するような構造とし、印刷面（表紙）は保持しないものとする。
【００１７】
また、キャリッジ１１の上流側と下流側には、冊子３の搬送をガイドする上、下部のガイド板２８ａ，２８ｂ、２９ａ，２９ｂがメイン搬送路５を介して離間対向する状態で配設されている。
【００１８】
上部側のガイド板２８ａ，２９ａにはアイドルローラ３０がそれぞれ配置され、下部のガイド板２８ｂ，２９ｂには駆動ローラ３１がそれぞれ配置されている。アイドルローラ３０と駆動ローラ３１とにより搬送手段が構成され、この搬送手段により冊子３が挟持搬送されるようになっている。
【００１９】
キャリッジ１１の上流側に位置する上部側のガイド板２８ａのキャリッジ側の端部には上方へ向かって折曲される折曲部２８ａ１が形成され、キャリッジ１１上のサイド板１１ａの端部には折曲部１８ａ１と所定間隔を存して対向する折曲部１１ａ１が形成されている。
【００２０】
ところで、上記したキャリッジ１１の移動路１２中には、図３にも示すようにキャリッジ１１の移動方向（奥行き方向）に沿って順次、冊子閉じ手段としての冊子折畳部１４、検査手段としての検査部１５が配設されている。
【００２１】
検査部１５は、（図１に示す）撮像カメラ１５ａを備え、キャリッジ１１によって搬送されてくる冊子３の印刷面をカメラ１５ａによって撮像してその撮像内容と、外部端末によって入力された内容を照合して正しく印刷されたか否かを検査するものである。
【００２２】
また、折畳部１４は、図２に示すようにフラップ３２を有し、このフラップ３２は駆動軸３３を中心として上下方向に回動されるようになっている。フラップ３２の回動端側には折曲片３２ａが形成され、この折曲片３２ａとフラップ３２との間には隙間が形成されている。
【００２３】
キャリッジ１１が開かれた冊子３を受け取ったのち、メイン搬送路５から検査部１５に向かって移動する際には、冊子３をキャリッジ１１に保持してその開かれた印刷面側をフラップ３２とその折曲片３２ａとの間の隙間に通過させて搬送するようになっている。
【００２４】
図４は、キャリッジ１１の駆動機構１６を示すものである。
【００２５】
即ち、キャリッジ１１には、連結具１７を介して駆動ベルト１８が連結され、駆動ベルト１８は駆動プーリ１９と従動プーリ２０との間に掛け渡されている。駆動プーリ１９は駆動モータ２２によって正逆回転され、キャリッジ１１はガイドシャフト(図１に示す)２３に沿って正逆方向にその移動がガイドされるようになっている。
【００２６】
次に、上記した冊子処理装置の処理動作について図５〜図１５の動作図、及び図１６〜図１８のフローチャートに基づいて説明する。
【００２７】
冊子供給部２に収納された冊子３は取出ローラ４により下部側のものから一冊ずつ取り出されて供給され、メイン搬送路５に沿って搬送される（図１６のステップＳＴ１）。この冊子３は頁捲り部７により特定の頁が捲られたのち（図１６のステップＳＴ２）、ＯＣＲ部６で冊子固有情報が読取られる（図１６のステップＳＴ３）。この頁が開かれた冊子３はメイン搬送路５に沿って印刷部８に搬送され、捲られた頁に印字情報が印刷される（図１６のステップＳＴ４）。
【００２８】
そして、この印刷された冊子３は印刷面３ａが開かれたまま、図５、図１２に示すようにキャリッジ１１に搬送される（なお、図５では、説明の都合上、搬送路上部側のガイド２８ａ，１１ａは省略している）。この搬送により、冊子３の裏表紙面側がキャリッジ１１に挿入されると（図１６のステップＳＴ５）、図６に示すように（なお、図６では、説明の都合上、搬送路上部側のガイド２８ａ，１１ａは省略している）、冊子３の搬送が一時停止され（図１６のステップＳＴ６）、搬送用の駆動ローラ２６が下方に退避される（図１７のステップＳＴ１）。
【００２９】
こののち、駆動モータ２２が駆動されて駆動ベルト１８が走行され、図７、図１３に示すようにキャリッジ１１が移動路１２に沿って奥行き方向へ移動して折畳部１４を通り越して検査部１５まで移動する（図１７のステップＳＴ２）。このキャリッジ１１の移動により検査部１５に搬送された冊子３は、キャリッジ１１で裏表紙面側が保持された状態で規定のカメラ撮影位置で停止する。このとき、カメラ１５ａと冊子３の検査対象面である印刷面（撮影面）３ａとの間には、撮影に邪魔になる構造物がない状態となり、この停止位置でカメラ１５ａにより、一度で印刷面３ａが検査(撮影)される（図１７のステップＳＴ３）。
【００３０】
検査部１５にて印刷面３ａの撮影が完了した後、キャリッジ１１はメイン搬送路５方向へ移動し、図８、図１４に示すように、折畳部１４へ冊子３を搬送する（図１７のステップＳＴ４）。折畳部１４に搬送された冊子３はフラップ３２の上方への回動により印刷面３ａ側（表紙）が持ち上げられる（図１７のステップＳＴ５）。
【００３１】
印刷面３ａ側（表紙）が持ち上げられた冊子３は図９に示すようにその状態のままメイン搬送路５へキャリッジ１１によって戻される（図１７のステップＳＴ６）。このとき、冊子３の印刷面３ａ側（表紙）はキャリッジ手前の搬送用アイドルローラ３０の上部に乗せられた状態となる。また、このとき、退避していた搬送用の駆動ローラ２６，３１が図１０に示すように上方に復帰される（図１８のステップＳＴ１）。これにより、冊子３は駆動ローラ２６とピンチローラ２５とによって挟圧保持され、メイン搬送路５上を搬送できる状態になる。
【００３２】
こののち、図１０に示すように、冊子３は一旦、印刷部８方向へ逆走される（図１８のステップＳＴ２）。これにより、印刷面３ａ（表紙）側がアイドルローラ３０に取り込まれ、冊子３が折畳まれる。冊子３の折畳みが終了した後（図１８のステップＳＴ３）、冊子３は逆走を停止して図１１、図１５に示すように、集積部９方向へ順送されて（図１８のステップＳＴ４）、集積部９に集積される（図１８のステップＳＴ５）。
【００３３】
上記したように、印刷部８によって印刷された冊子３を受け取りメイン搬送路５から該メイン搬送路５に対し直交する移動路１２に沿って往復移動するキャリッジ１１を備え、キャリッジ１１の移動路１２に沿って折畳部１４、及び検査部１５を配設し、キャリッジ１１の移動により冊子３をメイン搬送路５から検査部１５に搬送して印刷面３ａを検査したのち、折畳部１４に搬送して印刷面３ａ側を折り畳み方向に押し上げて折り畳むため、従来のように折畳部１４及び検査部１５をメイン搬送路５中に冊子３の搬送方向に沿って配置する場合と比較して折畳部１４から集積部９までの距離を短縮できる。
【００３４】
従って、平坦なレイアアウトにしても、冊子供給部２と集積部９との間の距離を短縮でき、装置全長を短くして狭いエリアでの設置を可能とする。
【００３５】
また、冊子供給部２と集積部９との間での操作者の移動距離が短くなり、冊子供給部２に対する冊子３の補充作業、集積部からの冊子の取出作業も容易になる。
【００３６】
さらに、検査部１５では、冊子３の印刷面３ａが構造物で遮られることがないため、冊子３を撮影タイミングと同期搬送しながら冊子３の印刷面３ａを撮影する必要がなく、必要な箇所すべてを一度で検査でき、検査精度を向上できる利点がある。
【００３７】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１…装置本体、２…冊子供給部、５…メイン搬送路、８…印刷部（印刷手段）、９…集積部、１２…移動路、１１…キャリッジ、１４…折畳部（折畳手段）、１５…スキャナ（検査手段）、１５ａ…撮影カメラ、１６…駆動機構（駆動手段）、２３…ガイドシャフト、２６…駆動ローラ（搬送手段）、３０…アイドルローラ。
【図１】
2012056188.tif 000003
【図２】
2012056188.tif 000004
【図３】
2012056188.tif 000005
【図４】
2012056188.tif 000006
【図５】
2012056188.tif 000007
【図６】
2012056188.tif 000008
【図７】
2012056188.tif 000009
【図８】
2012056188.tif 000010
【図９】
2012056188.tif 000011
【図１０】
2012056188.tif 000012
【図１１】
2012056188.tif 000013
【図１２】
2012056188.tif 000014
【図１３】
2012056188.tif 000015
【図１４】
2012056188.tif 000016
【図１５】
2012056188.tif 000017
【図１６】
2012056188.tif 000018
【図１７】
2012056188.tif 000019
【図１８】
2012056188.tif 000020